(57)【要約】【課題】買い物をして商品の入ったレジ袋や買い物袋を、自動車の後部座席の上に置いたり床上に置いたりする事は日常の事であるが、自動車が急停止したりカーブを曲がったりするとレジ袋や買い物袋が転倒や落下して中の物が転がりだしてしまうことがある。本発明は自動車が急停止やカーブを曲がったりしたときでもレジ袋等の転倒や落下を防止して、中身のこぼれるのを防ぎ安全運転を図るものである【解決手段】伸縮可能な紐（２）の端部を合わせて結びこの結び目を止め玉（４）等で固定してル−プ体（３）とし、このル−プ体（３）をフック（５）の穴（７）にを貫通装着して成るフック体（１）を、座席のヘッドレスト（イ）の支持柱（ウ）に取り付け、レジ袋（エ）等の持ち手部（オ）をフック（５）で吊るようにした。【選択図】図１
2014205477.tif 000002
【特許請求の範囲】
【請求項１】
伸縮可能な紐（２）の端部を合わせて結びル−プ体（３）形成し、フック（５）の穴（７）にル−プ体（３）を貫通装着したことを特徴としたフック体（１）
【請求項２】
片端に穴（７）を有するアーム（６ａ）と曲げ部（９）からＶ字形に開いた曲線部（８）を持ったアーム（６ｂ）により形成されたフック（５）を装着したことを特徴とした請求項１のフック体（１）
【発明の詳細な説明】
【技術分野】
【０００１】自動車の座席に置いた買い物袋等の持ち手を吊るフックに関する。
【背景技術】
【０００２】自動車の座席に置いた買い物袋等の移動や転倒、中の物の飛び出しを防ぐものである。
【先行技術文献】
【特許文献】
【０００３】
【特許文献】特開公２００９−１７９１７９
【発明の概要】
【発明が解決しようとする課題】
【０００４】買い物をして品物の入ったレジ袋や買い物袋等を、自動車の後部座席の上に置いたり床に置いたりする事は日常行なわれている事であるが、自動車が急停止したりカーブを曲がったりすると、レジ袋や買い物袋等が移動したり落下したり転倒したりして中の物がこぼれてしまうことがある。レジ袋や買い物袋等に入っている物が転がりやすい物等の時は、運転席の床にまで転がる恐れがあり運転の障害となる危険性がある。【０００５】先行技術の特開公２００９−１７９１７９に示す自動車の座席の背もたれ等に取り付けられた吊り下げフックは、フックの位置が固定されているので、大きいレジ袋や買い物袋の場合は持ち手部をフックに掛けても、持ち手部がたるんでしまったり、外れたりしてフックに掛からないことがある、また持ち手の短いものでは持ち上げて吊り下げる事になり、レジ袋や買い物袋等が重い時は持ち手をフックに掛けたり外したりするのに力がいり、片手では困難なことがある。【０００６】本発明は自動車が急停止やカーブを曲がったりした時でも、座席や床に置いたレジ袋や買い物袋等の転倒や移動や落下を防止して、中の物のこぼれるのを防ぎ安全運転を図るものである。
【課題を解決するための手段】
【０００７】図４に示すように伸縮可能な紐（２）の端部を合わせて結び図５に示すように止め玉（４）等で固定したループ体（３）を、図６に示すフック（５）の穴（７）に図２に示すようにループ体（３）を貫通装着したことを特徴としたフック体（１）を、図１に示すように自動車の座席（ア）のヘッドレスト（イ）の支持柱（ウ）に取り付け、レジ袋（エ）や買い物袋等の持ち手部分（オ）をフック体（１）のフック（５）で緩み無く吊るようにした。【０００８】図１に示すようにヘッドレスト（イ）の支持柱（ウ）へのフック体（１）の取り付け部と座席の座る面との距離はどの車でもほぼ同であり、フック（５）を一番高い位置に取り付けることにより伸縮可能なループ体（３）の伸びる範囲でレジ袋（エ）や買い物袋等の持ち手部分（オ）を吊ることが出来るようにした。【０００９】図４に示すように伸縮可能な紐（２）をループとしたことにより、ループを広げて掛けるだけで図１のようにフック体（１）をヘッドレスト支持柱（ウ）に取り付けられるようにした。【００１０】レジ袋（エ）や買い物袋等が重くても座席の上に置くだけで良く、持ち手部分（オ）を吊るだけで良いので、フック（５）はレジ袋（エ）や買い物袋等の全重量を支える必要が無い、またレジ袋（エ）や買い物袋等の持ち手部（オ）とフック（５）の着脱を容易にするため図６に示すように曲げ部（９）から先端に向けＶ字形に大きく開いた曲線部（８）を持つアーム（６ｂ）を有するフック（５）とした。【００１１】またフック（５）は撓いやすい材料を使用してレジ袋（エ）の持ち手部（オ）に掛けたり外したりするのを容易にする。フック（５）の代わりに洗濯用のピンチでも吊ることは出来るが、挟むだけなので引っ張ると外れてしまうと云う欠点がある。
【発明の効果】
【００１２】図１に示すように座席（８）のヘッドレストの支持柱（ウ）に取り付けられたフック体（１）のフック（５）は伸縮可能な紐（２）を用いたループ体（３）に取り付けられているので、座席の上に置いたままでレジ袋（エ）や買い物袋等の持ち手部（オ）をフック（５）で弛み無く吊ることができる。【００１３】レジ袋（エ）や買い物袋等は座席（ア）の上に置いた状態で持ち手部（オ）を吊るので移動したり転倒や落下することがなく袋から中の物が飛び出すことを防ぐことができる。
また大型のフックとしたので複数のレジ袋（エ）や買い物袋等を一個のフック体（１）で吊ることが出来る。また一個のループ体（３）に複数のフック（５）を取り付けても良い事は勿論である。【００１４】また前席の背もたれのヘッドレストの支持柱（ウ）に取り付けたフック体（１）と床上までの距離は長いので、大きなレジ袋（エ）や買い物袋、植物を植えた植木鉢等のレジ袋等の持ち手部を吊ることができ転倒を防ぐことができる。【００１５】また液体の入ったポッドや瓶や植物を植えた植木鉢等を袋に入れて直立させて吊ることにより、転倒して液体や土がこぼれたりするのを防ぐことが出来る。
本発明によると自動車の通常の運転中に、レジ袋や買い物袋等が座席から移動や転倒、落下して中の物がこぼれだし運転席の床などに転げこむのを防止できる。【００１６】図６に示すフック（５）は片端に穴（７）を有するアーム（６ａ）と曲がり部（９）から外側にＶ字形に大きく開いた曲線部（８）を持つアーム（６ｂ）により形成され、柔軟性を持たせた材料を使用することにより、レジ袋（エ）や買い物袋等を持ち上げずに持ち手部（オ）をフック（５）に掛けたり外したりすることが出来る。
【図面の簡単な説明】
【００１７】
【図１】本発明の使用例を示す図
【図２】本発明の全体を示す図
【図３】図１の矢視Ｗ−Ｗを示す図
【図４】本発明のループ体を示す図
【図５】図３の矢視Ｘ−Ｘを示す図
【図６】本発明のフックを示す図
【図７】本発明のその他の実施例を示す図
【図８】図７の矢視Ｙ−Ｙを示す図
【図９】本発明のその他の実施例を示す図
【図１０】図８の矢視Ｚ−Ｚを示す図
【発明を実施するための形態】
【００１８】図２に示すように伸縮可能な紐（２）の端部を合わせて結び形成したル−プ体（３）を、フック（５）の穴（７）に貫通装着してフック体（１）を形成する。前記ル−プ体（３）の結び目は止め玉（４）等で固定しても良い。図３は図２のＷ−Ｗ矢視図で伸縮可能な紐（２）の結び目を止め玉（４）で固定した状態を示す。
【実施例】
【００１９】伸縮可能な紐（２）の端部を合わせて結びその結び目を止め玉（４）等で固定してル−プ体（３）とし、このル−プ体（３）に１個または複数のフック（５）の穴（７）を貫通装着してフック体（１）を形成し、自動車の座席の背もたれに取り付けられたヘッドレスト（い）の支持柱（ウ）に取り付けられるようにした。【００２０】ループ体（３）を構成する紐（２）は伸縮自在な素材で作られた紐やゴム紐等でも良くその結び目は図５に示すように止め玉（４）等で固定しても良いし、結び目がしっかりしていれば止め玉（４）は無くても良いことは勿論である。【００２１】図６に示すようにフック（５）は片端（６ａ）に穴（７）を有するアーム（６ａ）と曲がり部（９）から曲面（８）を持ったアーム（６ｂ）により形成されＶ字形に大きく開いた構造とすること、および弾力性のある材料を使用することにより、レジ袋（エ）や買い物袋等の持ち手部（オ）を取り付けたり取り外したりすることが簡単に出来る。【００２２】図７に示す実施例ではフック（１０）は薄板を用いた例で、図７の矢視図の図８に示すように曲げ部（９）から先の大きく開いた曲線部（８）を持った形状である。【００２３】図９に示す実施例ではフック（１１）はＶ字形に大きく開くように板を中央部で折り曲げて形成している例を示す、この例でも図６に示した曲線部（８）を有しており曲げ部（９）からＶ字型に大きく開いた形状なので買い物袋等の持ち手部（オ）を吊るしたり取り外したりすることが簡単に出来る。勿論曲線部（８）が無く直線でも吊り下げる効果は同じである。
図１０は図９の矢視図でフック（１１）の折り曲げ部（９）を示す。
これらのフックの材料は弾力のあるプラスチック等がよい。
【産業上の用可能性】
【００２４】フック体（１）は支柱でヘッドレストを取り付けた座席を持つ車両に装着可能で、レジ袋等を座席や床上に置いたとき、急ブレーキや急カーブでレジ袋や買い物袋等が転倒して中の物が飛び出したり、落下したりするのを防ぐことが出来るので安心して運転することが出来る。
【符号の説明】
【００２５】１        フック体
２        紐
３        ループ体
４        止め玉
５        フック
６ａ，ｂ  アーム
７        穴
８        曲線部
９        曲げ部
１０      フック
１１      フック
ア        座席
イ        ヘッドレスト
ウ        ヘッドレスト支持柱
エ        買い物袋
オ        持ち手部
【図１】
2014205477.tif 000003
【図２】
2014205477.tif 000004
【図３】
2014205477.tif 000005
【図４】
2014205477.tif 000006
【図５】
2014205477.tif 000007
【図６】
2014205477.tif 000008
【図７】
2014205477.tif 000009
【図８】
2014205477.tif 000010
【図９】
2014205477.tif 000011
【図１０】
2014205477.tif 000012